(57)【要約】      （修正有）【課題】エレベータかご室本体の側板に取り付けられる手摺装置の構成や寸法の設計を容易なものとすることができ、また、現場にてこの手摺装置を容易にエレベータかご室本体の側板に取り付けることができ、さらに、エレベータかご室本体の背面板にあるトランク扉を開く際やこのエレベータかご室本体の内側面に設けられた操作盤を点検する際に手摺装置を自在に取り外すことができるエレベータかご室を提供する。【解決手段】エレベータかご室は、エレベータかご室本体と、このエレベータかご室本体の側板１２に設置される手摺装置２０とを備えている。手摺装置２０は、側板１２に取り付けられた取付基台２１と、この取付基台２１に一端２２ａが着脱自在に設けられた手摺支持体２２と、側板１２に沿って配置される棒状の手摺本体２３とを有している。手摺本体２３は手摺支持体２２の他端２２ｂに対して摺動自在に設けられている。【選択図】図４
2006256823.tif 000002
【特許請求の範囲】
【請求項１】
エレベータかご室本体と、
このエレベータかご室本体の側板に設置される手摺装置と、を備え、
前記手摺装置は、
前記エレベータかご室本体の前記側板に取り付けられた取付基台と、
前記取付基台に一端が着脱自在に設けられた手摺支持体と、
前記手摺支持体の他端に対して摺動自在に設けられ、前記エレベータかご室本体の側板に沿って配置される棒状の手摺本体と、を有することを特徴とするエレベータかご室。
【請求項２】
前記手摺装置において、
前記手摺支持体の他端はリング形状部を有し、
前記手摺本体は前記手摺支持体のリング形状部内に嵌挿されてこの手摺支持体に対して摺動自在となっていることを特徴とする請求項１記載のエレベータかご室。
【請求項３】
前記手摺装置において、
前記手摺支持体の他端は前記エレベータかご室本体の側板と平行に延びる溝部を上面に有し、
前記手摺本体は前記手摺支持体の溝部に嵌め込まれてこの手摺支持体に対して摺動自在となっていることを特徴とする請求項１記載のエレベータかご室。
【請求項４】
前記手摺装置の手摺本体に磁石が設けられるとともに、
前記エレベータかご室本体の側板は磁性を有する材料からなることを特徴とする請求項１乃至３のいずれか一項に記載のエレベータかご室。
【請求項５】
前記手摺装置において、
前記手摺支持体の一端は内周面が雌ねじとなっている筒状部を有し、
前記取付基台は前記筒状部の雌ねじに対応する雄ねじからなるねじ山部を有し、
前記手摺支持体の筒状部は前記取付基台のねじ山部に着脱自在に嵌着されることを特徴とする請求項１乃至４のいずれか一項に記載のエレベータかご室。
【請求項６】
前記手摺装置において、
前記手摺支持体の一端は下方に突出する突出部を有し、
前記取付基台は前記突出部に対応する穿孔部を上面に有し、
前記手摺支持体の突出部は前記取付基台の穿孔部に着脱自在に嵌着されることを特徴とする請求項１乃至４のいずれか一項に記載のエレベータかご室。
【発明の詳細な説明】
【技術分野】
【０００１】
本発明は、エレベータかご室本体と、このエレベータかご室本体の側板に設置される手摺本体とを備えたエレベータかご室に関する。
【背景技術】
【０００２】
従来のエレベータかご室を、図面を参照して説明する。ここで、図１０は、従来のエレベータかご室の構成を示す側面図であり、図１１は、図１０のエレベータかご室の上面図である。
【０００３】
図１０および図１１に示すように、従来のエレベータかご室は、乗客が乗降を行うための引き戸型の開閉扉１１と、この開閉扉１１に隣接して設けられた一対の側板１２と、開閉扉１１に対向して設けられた背面板１３とを有するエレベータかご室本体１０を備えている。ここで、エレベータかご室本体１０の背面板１３には、内開きのトランク扉１３ａが設けられている。また、エレベータかご室本体１０の各側板１２の裏面には、この側板１２を補強するための補強パネル１２ａが取り付けられている。
【０００４】
従来よりこのようなエレベータかご室においては、エレベータかご室本体１０の各側板１２に乗客が掴むための手摺装置５０が取り付けられている。手摺装置５０は、エレベータかご室本体１０の側板１２に沿って配置される棒状の手摺本体５１と、この手摺本体５１を側板１２に取り付ける複数の取付基台５２とを有している。ここで、各取付基台５２はエレベータかご室本体１０の側板１２に固定されるとともに、手摺本体５１の予め定められた一定箇所を支持するようになっている。
【０００５】
また、手摺本体として中空の円筒型のものを用い、手摺本体の外周面に軸方向に延びる貫通した長穴を設け、軸方向に摺動自在のコマを手摺本体の内部に設置し、前述の長穴を通過する部材によりこのコマを取付基台に係合させた手摺装置が知られている（例えば、特許文献１参照）。このような手摺装置によれば、手摺本体を取付基台に対して軸方向に一定範囲内で自在に摺動させることができる。
【０００６】
【特許文献１】特開２００２−１７９３６６号公報
【発明の開示】
【発明が解決しようとする課題】
【０００７】
従来のエレベータかご室において、エレベータかご室本体１０の側板１２のうち補強パネル１２ａが取り付けられている部分（図１０の点線部分参照）には手摺装置５０の取付基台５２を取り付けることができないようになっている。このため、側板１２のうち補強パネル１２ａが取り付けられている部分以外の場所に手摺装置５０の各取付基台５１を取り付ける必要がある。
【０００８】
しかしながら、改修工事等により既に設置されているエレベータかご室本体１０の側板１２に新たに手摺装置５０を取り付ける場合には、この側板１２の裏面に取り付けられた補強パネル１２ａの位置を考慮して個別に手摺装置５０の構成や寸法を設計しなければならない。すなわち、側板１２における補強パネル１２ａが取り付けられている部分以外の場所に手摺装置５０の各取付基台５２が位置するように、手摺本体５１および各取付基台５２の位置関係や寸法をそれぞれのエレベータかご室毎に定める必要があり、手摺装置５０の設計作業が煩雑になるという問題がある。
また、この際にエレベータかご室本体１０の設置当時の図面を探したり、現地でエレベータかご室本体１０を調査したりする必要があるため、手摺装置５０の設計に非常に手間や時間がかかってしまう。
【０００９】
ここで、特許文献１に示すような手摺装置５０を用いた場合であっても、手摺本体５１の取付基台５２に対する摺動可能な範囲はこの手摺本体５１に設けられた長穴の大きさによって制限されているので、エレベータかご室本体１０の側板１２に対する補強パネル１２ａの位置によっては特許文献１に示す手摺装置５０では対応することができない場合がある。
【００１０】
また、図１１に示すように、エレベータかご室本体１０の背面板１３にあるトランク扉１３ａを開く際に側板１２に設置された手摺装置５０が邪魔とならないよう、この手摺装置５０の手摺本体５１の寸法を予め短くしておく必要がある。このため、エレベータかご室本体１０内の乗客が掴む手摺装置５０として十分な長さのものとすることができず、また外観上の見栄えが悪いという問題がある。
【００１１】
また、エレベータかご室本体１０の内側面に設けられた操作盤を点検する場合には、この手摺装置５０が邪魔となり点検作業が煩雑になるという問題がある。
【００１２】
本発明は、このような点を考慮してなされたものであり、エレベータかご室本体の側板に取り付けられる手摺装置の構成や寸法の設計を容易なものとすることができ、また、現場にてこの手摺装置を容易にエレベータかご室本体の側板に取り付けることができ、さらに、エレベータかご室本体の背面板にあるトランク扉を開く際やこのエレベータかご室本体の内側面に設けられた操作盤を点検する際に手摺装置を自在に取り外すことができるエレベータかご室を提供することを目的とする。
【課題を解決するための手段】
【００１３】
本発明は、エレベータかご室本体と、このエレベータかご室本体の側板に設置される手摺装置と、を備え、前記手摺装置は、前記エレベータかご室本体の前記側板に取り付けられた取付基台と、前記取付基台に一端が着脱自在に設けられた手摺支持体と、前記手摺支持体の他端に対して摺動自在に設けられ、前記エレベータかご室本体の側板に沿って配置される棒状の手摺本体と、を有することを特徴とするエレベータかご室である。
このようなエレベータかご室によれば、手摺装置において手摺本体は取付基台および手摺支持体に対して摺動自在に設けられているので、現場ではエレベータかご室本体の側板の裏面に設けられた補強パネルの位置に応じて取付基台を側板に取り付けることができ、このため手摺装置の構成や寸法を予め設計する際に前述の補強パネルの取付位置を考慮する必要がなく、当該手摺装置の設計を容易なものとすることができる。また、手摺本体が取付基台および手摺支持体に対して摺動自在となっているので取付基台を側板の任意の場所に固定することができ、現場における手摺装置の取り付け作業を容易なものとすることができる。さらに、手摺本体を支持する手摺支持体は側板に固定された取付基台に対して着脱自在となっているので、エレベータかご室本体の背面板にあるトランク扉を開く際やこのエレベータかご室本体の内側面に設けられた操作盤を点検する際に手摺装置の手摺本体を自在に取り外すことができる。
【００１４】
本発明のエレベータかご室においては、前記手摺装置において、前記手摺支持体の他端はリング形状部を有し、前記手摺本体は前記手摺支持体のリング形状部内に嵌挿されてこの手摺支持体に対して摺動自在となっていることが好ましい。
このようなエレベータかご室によれば、手摺本体を手摺支持体の他端にあるリング形状部に嵌挿させることによりこの手摺本体を取付基台および手摺支持体に対して確実に摺動させることができる。
【００１５】
本発明のエレベータかご室においては、前記手摺装置において、前記手摺支持体の他端は前記エレベータかご室本体の側板と平行に延びる溝部を上面に有し、前記手摺本体は前記手摺支持体の溝部に嵌め込まれてこの手摺支持体に対して摺動自在となっていることが好ましい。
このようなエレベータかご室によれば、手摺支持体の他端にありエレベータかご室本体の側板と平行に延びる溝部に手摺本体を嵌め込ませることによりこの手摺本体を取付基台および手摺支持体に対して確実に摺動させることができる。
【００１６】
本発明のエレベータかご室においては、前記手摺装置の手摺本体に磁石が設けられるとともに、前記エレベータかご室本体の側板は磁性を有する材料からなることが好ましい。
このようなエレベータかご室によれば、手摺装置のうち取付基台から取り外された手摺本体を、この手摺本体に設けられた磁石の磁性によりエレベータかご室本体の側板に着脱自在に取り付けることができる。このため、取付基台から取り外された手摺本体を確実に保管することができ、この手摺本体の紛失を防止することができる。
【００１７】
本発明のエレベータかご室においては、前記手摺装置において、前記手摺支持体の一端は内周面が雌ねじとなっている筒状部を有し、前記取付基台は前記筒状部の雌ねじに対応する雄ねじからなるねじ山部を有し、前記手摺支持体の筒状部は前記取付基台のねじ山部に着脱自在に嵌着されることが好ましい。
このようなエレベータかご室によれば、手摺支持体の一端にある筒状部を取付基台のねじ山部に嵌着させることにより手摺支持体の一端を取付基台に対して確実に着脱自在に取り付けることができる。
【００１８】
本発明のエレベータかご室においては、前記手摺装置において、前記手摺支持体の一端は下方に突出する突出部を有し、前記取付基台は前記突出部に対応する穿孔部を上面に有し、前記手摺支持体の突出部は前記取付基台の穿孔部に着脱自在に嵌着されることが好ましい。
このようなエレベータかご室によれば、手摺支持体の一端にある突出部を取付基台の穿孔部に嵌着させることにより手摺支持体の一端を取付基台に対して確実に着脱自在に取り付けることができる。
【発明の効果】
【００１９】
本発明のエレベータかご室によれば、手摺装置において手摺本体は取付基台および手摺支持体に対して摺動自在に設けられているので、現場ではエレベータかご室本体の側板の裏面に設けられた補強パネルの位置に応じて取付基台を側板に取り付けることができ、このため手摺装置の構成や寸法を予め設計する際に前述の補強パネルの取付位置を考慮する必要がなく、当該手摺装置の設計を容易なものとすることができる。また、手摺本体が取付基台および手摺支持体に対して摺動自在となっているので取付基台を側板の任意の場所に固定することができ、現場における手摺装置の取り付け作業を容易なものとすることができる。さらに、手摺本体を支持する手摺支持体は側板に固定された取付基台に対して着脱自在となっているので、エレベータかご室本体の背面板にあるトランク扉を開く際やこのエレベータかご室本体の内側面に設けられた操作盤を点検する際に手摺装置の手摺本体を自在に取り外すことができる。
【発明を実施するための最良の形態】
【００２０】
以下、図面を参照して本発明の実施の形態について説明する。
図１乃至図５は、本発明によるエレベータかご室の実施の形態を示す図である。
【００２１】
このうち図１は、本実施の形態のエレベータかご室の構成を示す側面図であり、図２は、図１のエレベータかご室の上面図であり、図３は、図１のエレベータかご室の手摺装置を示す正面図であり、図４は、図３の手摺装置の側断面図であり、図５は、図４の手摺装置の取付基台および手摺支持体の一端の詳細を示す拡大断面図である。
【００２２】
まず、図１および図２において、本実施の形態のエレベータかご室について説明する。
図１および図２に示すように、エレベータかご室は、箱型のエレベータかご室本体１０と、このエレベータかご室本体１０に設置される手摺装置２０とを備えている。
箱型のエレベータかご室本体１０は、乗客が乗降を行うための引き戸型の開閉扉１１と、この開閉扉１１に隣接して設けられた一対の側板１２と、開閉扉１１に対向して設けられた背面板１３とを有している。エレベータかご室本体１０の背面板１３には、内開きのトランク扉１３ａが設けられている。また、図１に示すように、各側板１２の裏面には、この側板１２を補強するための補強パネル１２ａが取り付けられている。
図２に示すように、手摺装置２０はエレベータかご室本体１０の両側板１２に取り付けられている。
【００２３】
次に、エレベータかご室の手摺装置２０について詳述する。
図３および図４に示すように、手摺装置２０は、エレベータかご室本体１０の各側板１２に取り付けられた例えば２つの取付基台２１と、各取付基台２１に一端２２ａが着脱自在に設けられた例えば２つの手摺支持体２２と、各手摺支持体２２の他端２２ｂに対して摺動自在に設けられ、エレベータかご室本体１０の側板１２に沿って配置される１本の細長い棒状の手摺本体２３とを有している。
【００２４】
手摺装置２０の手摺本体２３は、エレベータかご室本体１０の開閉扉１１近傍から背面板１３近傍まで側板１２と平行に延びる軸部２３ａを有している。
【００２５】
手摺装置２０の各手摺支持体２２の他端２２ｂは、図３および図４に示すように中空のリング形状部２２ｄを有している。このリング形状部２２ｄの内径は円柱状の手摺本体２３の軸部２３ａの外径よりも若干大きくなるよう構成されている。図４に示すように、手摺本体２３の軸部２３ａはリング形状部２２ｄの中空部分に嵌挿されている。
ここで、リング形状部２２ｄの内径が円柱状の手摺本体２３の軸部２３ａの外径よりも若干大きくなっていることにより、手摺本体２３を手摺支持体２２の他端２２ｂに対して自在に摺動させることができる。
【００２６】
手摺本体２３は、更に手摺支持体２２のリング形状部２２ｄの内径よりも大きな外径を有する端部２３ｂを両端に有している。このことにより、手摺本体２３が手摺支持体２２に対して大きく摺動してもこの手摺本体２３の端部２３ｂが手摺支持体２２のリング形状部２２ｄに当接することによって、当該手摺本体２３が手摺支持体２２から抜き取られることが防止される。なお、手摺本体２３の端部２３ｂは軸部２３ａに対して取り外し自在となっており、端部２３ｂを軸部２３ａから取り外すことにより手摺本体２３を手摺支持体２２から抜き取ることができるようになっている。
【００２７】
また、手摺支持体２２の一端２２ａは、図５に示すように内周面が雌ねじとなっている筒状部２２ｃを有している。一方、エレベータかご室本体１０の各側板１２に取り付けられた取付基台２１は、手摺支持体２２の筒状部２２ｃの雌ねじに対応する雄ねじからなるねじ山部２１ａを有している。図５に示すように、手摺支持体２２の筒状部２２ｃの内径は取付基台２１のねじ山部２１ａの外径よりも若干大きくなるよう構成されている。
手摺支持体２２の筒状部２２ｃを取付基台２１のねじ山部２１ａに嵌着させることにより、手摺支持体２２の一端２２ａを取付基台２１に対して着脱自在に取り付けることができる。
【００２８】
また、手摺本体２３の内部には磁石２５が設けられており、一方、エレベータかご室本体１０の側板１２は例えば鉄板等の磁性を有する材料からなっている。このため、手摺装置２０のうち取付基台２１から取り外された手摺本体２３が、この手摺本体２３内部の磁石２５の磁性によりエレベータかご室本体１０の側板１２に着脱自在に取り付けられるようになっている。
【００２９】
次に、このような構成からなる本実施の形態の作用について説明する。
まず、手摺装置２０をエレベータかご室本体１０の側板１２に取り付ける方法について説明する。
【００３０】
最初に、例えば２つの取付基台２１をエレベータかご室本体１０の側板１２に固定する。この際に、エレベータかご室本体１０の側板１２のうち補強パネル１２ａが取り付けられている部分には取付基台２１を取り付けることができないようになっているので、補強パネル１２ａが取り付けられている部分以外の場所に各取付基台２１を取り付けるようにする。
【００３１】
次に、各手摺支持体２２の筒状部２２ｃを各取付基台２１のねじ山部２１ａに嵌着させることにより、各手摺支持体２２の一端２２ａを各取付基台２１にそれぞれ取り付ける。そして、各取付基台２１に取り付けられた手摺支持体２２の他端２２ｂにおけるリング形状部２２ｄ内に棒状の手摺本体２３の軸部２３ａを嵌挿し、その後、端部２３ｂを軸部２３ａの両端に取り付けることにより、手摺本体２３を各手摺支持体２２によって摺動自在に支持させる。
【００３２】
ここで、エレベータかご室本体１０の背面板１３に設けられたトランク扉１３ａを図２矢印方向に開く場合や、エレベータかご室本体１０の内側面に設けられた操作盤を点検する場合には、手摺装置２０の手摺本体２３を取り外す必要がある。
この際に、各手摺支持体２２の一端２２ａにある筒状部２２ｃを各取付基台２１のねじ山部２１ａから嵌脱させることにより、手摺装置２０の手摺本体２３および手摺支持体２２を、エレベータかご室本体１０の側板１２に固定された取付基台２１から取り外すことができる。また、手摺本体２３の内部には磁石２５が設けられているので、取付基台２１から取り外された手摺本体２３をエレベータかご室本体１０の側板１２に取り付けることができる（図１の鎖線部分参照）。
【００３３】
以上のように本実施の形態のエレベータかご室によれば、手摺装置２０において手摺本体２３は取付基台２１および手摺支持体２２に対して摺動自在に設けられているので、現場ではエレベータかご室本体１０の側板１２の裏面に設けられた補強パネル１２ａの位置に応じて取付基台２１を側板１２に取り付けることができ、このため手摺装置２０の構成や寸法を予め設計する際に前述の補強パネル１２ａの取付位置を考慮する必要がなく、当該手摺装置２０の設計を容易なものとすることができる。
また、手摺本体２３が取付基台２１および手摺支持体２２に対して摺動自在となっているので取付基台２１を側板１２の任意の場所に固定することができ、現場における手摺装置２０の取り付け作業を容易なものとすることができる。
さらに、手摺本体２３を支持する手摺支持体２２は側板１２に固定された取付基台２１に対して着脱自在となっているので、エレベータかご室本体１０の背面板１３にあるトランク扉１３ａを開く際やこのエレベータかご室本体１０の内側面に設けられた操作盤を点検する際に手摺装置２０の手摺本体２３を自在に取り外すことができる。
【００３４】
また、手摺支持体２２の他端２２ｂはリング形状部２２ｄを有し、手摺本体２３はこのリング形状部２２ｄ内に嵌挿されているので、手摺本体２３を取付基台２１および手摺支持体２２に対して確実に摺動させることができる。
【００３５】
また、手摺装置２０の手摺本体２３に磁石２５が設けられるとともに、エレベータかご室本体１０の側板１２は磁性を有する材料からなるので、手摺装置２０のうち取付基台２１から取り外された手摺本体２３を、この手摺本体２３に設けられた磁石２５の磁性によりエレベータかご室本体１０の側板１２に着脱自在に取り付けることができる。このため、取付基台２１から取り外された手摺本体２３を確実に保管することができ、この手摺本体２３の紛失を防止することができる。
【００３６】
また、手摺装置２０において手摺支持体２２の一端２２ａは内周面が雌ねじとなっている筒状部２２ｃを有し、一方、取付基台２１は前述の筒状部２２ｃの雌ねじに対応する雄ねじからなるねじ山部２１ａを有し、手摺支持体２２の筒状部２２ｃは取付基台２１のねじ山部２１ａに着脱自在に嵌着される。このため、手摺支持体２２の一端２２ａにある筒状部２２ｃを取付基台２１のねじ山部２１ａに嵌着させることにより手摺支持体２２の一端２２ａを取付基台２１に対して確実に着脱自在に取り付けることができる。
【００３７】
本発明によるエレベータかご室の手摺装置は、上記の態様に限定されるものではなく、様々の変更を加えることができる。
次に本発明によるエレベータかご室の手摺装置の変形例につき、図６乃至図９により説明する。図６乃至図９において、図１乃至図５に示す実施の形態と同一部分には同一符号を付して詳細な説明を省略する。
【００３８】
図６に示すように、手摺装置２０において手摺本体２３の軸部２３ｃは角柱状のものであってもよく、この場合には、各手摺支持体２２の他端２２ｂはリング形状部２２ｄを有する代わりに手摺本体２３の断面形状に適合する中空の長方形状枠部２２ｅを有している。
【００３９】
より具体的に説明すると、図６に示すように、長方形状枠部２２ｅの中空部分は手摺本体２３の角柱状の軸部２３ｃよりも若干大きくなるよう構成されている。そして、手摺本体２３の軸部２３ｃは長方形状枠部２２ｅの中空部分に嵌挿されている。
ここで、長方形状枠部２２ｅの中空部分が手摺本体２３の角柱状の軸部２３ｃよりも若干大きくなっていることにより、手摺本体２３を手摺支持体２２の他端２２ｂに対して自在に摺動させることができる。
【００４０】
他の変形例としては、手摺装置２０において手摺支持体２２の他端２２ｂは、リング形状部２２ｄを有する代わりに、図７に示すようにエレベータかご室本体１０の側板１２と平行に延びる溝部２２ｆを上面に有していてもよい。この場合において、手摺本体２３は手摺支持体２２の溝部２２ｆに嵌め込まれてこの手摺支持体２２に対して摺動自在となっている。
【００４１】
より具体的に説明すると、図７に示すように、手摺支持体２２の上面に設けられた溝部２２ｆの断面は半円状となっているとともにこの溝部２２ｆは手摺本体２３の円柱状の軸部２３ａよりも若干大きくなるよう構成されている。そして、手摺本体２３の軸部２３ａは溝部２２ｆに載置されて嵌め込まれている。
ここで、手摺支持体２２の他端２２ｂにおける溝部２２ｆが手摺本体２３の円柱状の軸部２３ａよりも若干大きくなっていることにより、手摺本体２３を手摺支持体２２の他端２２ｂに対して自在に摺動させることができる。
【００４２】
以上のように本変形例のエレベータかご室によれば、手摺装置２０において手摺本体２３を手摺支持体２２の他端２２ｂにありエレベータかご室本体１０の側板１２と平行に延びる溝部２２ｆに嵌め込ませることにより、この手摺本体２３を取付基台２１および手摺支持体２２に対して確実に摺動させることができる。
【００４３】
更に他の変形例としては、図８に示すように、手摺装置２０において手摺支持体２２の一端２２ａは下方に突出する突出部２２ｇを有するとともに取付基台２１はこの突出部２２ｇに対応する穿孔部２１ｂを有していてもよい。この場合において、手摺支持体２２の突出部２２ｇは取付基台２１の穿孔部２１ｂに着脱自在に嵌着されるようになっている。
【００４４】
より具体的に説明すると、図８に示すように、取付基台２１の穿孔部２１ｂの内径は手摺支持体２２の突出部２２ｇの外径よりも若干大きくなるよう構成されている。そして、手摺支持体２２の突出部２２ｇを取付基台２１の穿孔部２１ｂに向かって下方に挿入することにより、手摺支持体２２が自重によって取付基台２１に嵌着される。
【００４５】
以上のように本変形例のエレベータかご室によれば、手摺装置２０において手摺支持体２２の一端２２ａにある突出部２２ｇを取付基台２１の穿孔部２１ｂに嵌着させることにより手摺支持体２２の一端２２ａを取付基台２１に対して確実に着脱自在に取り付けることができる。
【００４６】
更に他の変形例としては、手摺装置２０において手摺本体２３はエレベータかご室本体１０の開閉扉１１近傍から背面板１３近傍まで延びる代わりに、図９に示すように開閉扉１１および背面板１３から離間して設けられていてもよい。
この場合、手摺装置２０の各手摺支持体２２のうち背面板１３側の手摺支持体２２とエレベータかご室本体１０の背面板１３との間の距離Ａが、この背面板１３に設けられたトランク扉１３ａの幅Ｂよりも大きくなるよう取付基台２１の側板１２に対する取付位置が決められるとともに、手摺本体２３と開閉扉１１との間の距離Ｃ１と、手摺本体２３と背面板１３との間の距離Ｃ２との合計距離Ｃ（＝Ｃ１＋Ｃ２）が、前述のトランク扉１３ａの幅Ｂよりも大きくなるよう手摺本体２３の寸法が設計される。
【００４７】
図９に示す手摺装置２０を有するエレベータかご室においては、エレベータかご室本体１０の背面板１３にあるトランク扉１３ａを開く際に、手摺装置２０の手摺本体２３をエレベータかご室本体１０の開閉扉１１側に摺動させることにより（図９の矢印参照）この手摺装置２０が邪魔とならないようにすることができる。このことにより、トランク扉１３ａを開く際に手摺装置２０の手摺支持体２２および手摺本体２３を取付基台２１から取り外す手間を省くことができる。
【図面の簡単な説明】
【００４８】
【図１】本発明のエレベータかご室の構成を示す側面図である。
【図２】図１のエレベータかご室の上面図である。
【図３】図１のエレベータかご室の手摺装置を示す正面図である。
【図４】図３の手摺装置の側断面図である。
【図５】図４の手摺装置の取付基台および手摺支持体の一端の詳細を示す拡大断面図である。
【図６】図１のエレベータかご室の手摺装置の他の構成を示す側断面図である。
【図７】図１のエレベータかご室の手摺装置の更に他の構成を示す側断面図である。
【図８】図１のエレベータかご室の手摺装置の更に他の構成を示す側断面図である。
【図９】図１のエレベータかご室の他の構成を示す上面図である。
【図１０】従来のエレベータかご室の構成を示す側面図である。
【図１１】図１０のエレベータかご室の上面図である。
【符号の説明】
【００４９】
１０    エレベータかご室本体
１１    開閉扉
１２    側板
１２ａ  補強パネル
１３    背面板
１３ａ  トランク扉
２０    手摺装置
２１    取付基台
２１ａ  ねじ山部
２１ｂ  穿孔部
２２    手摺支持体
２２ａ  一端
２２ｂ  他端
２２ｃ  筒状部
２２ｄ  リング形状部
２２ｅ  長方形状枠部
２２ｆ  溝部
２２ｇ  突出部
２３    手摺本体
２３ａ  軸部
２３ｂ  端部
２３ｃ  軸部
２５    磁石
５０    手摺装置
５１    手摺本体
５２    取付基台
【図１】
2006256823.tif 000003
【図２】
2006256823.tif 000004
【図３】
2006256823.tif 000005
【図４】
2006256823.tif 000006
【図５】
2006256823.tif 000007
【図６】
2006256823.tif 000008
【図７】
2006256823.tif 000009
【図８】
2006256823.tif 000010
【図９】
2006256823.tif 000011
【図１０】
2006256823.tif 000012
【図１１】
2006256823.tif 000013